(57)【要約】【課題】使用上の利便性を向上させ、トレイを着脱可能なメモリーカードコネクターを提供する。【解決手段】メモリーカードコネクター１０は、筐体１１、端子グループ２１、トレイ３１、差し込み／取り出し機構４１、および側面弾圧ユニット５１を備える。筐体１１は、内部に格納空間１８と格納空間１８に連通する差し込み口１９とを有する。端子グループ２１は、複数の端子から構成され、格納空間１８内まで伸びるように筐体１１に装着される。トレイ３１は、筐体１１の差し込み口１９から差し込まれ、カード搭載部３２、カード搭載部３３、および一つの側辺部３４を有し、カード搭載部３２とカード搭載部３３とによってメモリーカードを搭載する。トレイ３１が筐体１１に差し込まれるとき、カード搭載部３２とカード搭載部３３とは、格納空間１８に位置し、メモリーカードと端子グループ２１とを接続する。【選択図】図２
0003170288.tif 000002
【実用新案登録請求の範囲】
【請求項１】
内部にある格納空間および前記格納空間に連通する差し込み口を有する筐体と、
複数の端子から構成され、前記格納空間内まで伸びるように前記筐体に装着される少なくとも一つの端子グループと、
前記筐体の前記差し込み口から差し込まれ、少なくとも一つのカード搭載部および一つの側辺部を有し、前記カード搭載部によって少なくとも一つのメモリーカードを搭載し、前記筐体に差し込まれるとき、前記カード搭載部は、前記格納空間に位置し、前記メモリーカードと前記端子グループとを相互に接続するトレイと、
前記トレイの前記側辺部に配置されるハート形リード溝、一端にスウィング可能に前記筐体に配置される接続部を有し他端に前記ハート形リード溝に連結される連結部を有し前記筐体によって一定の高さに限定される連結棒、および、前記筐体内に配置され前記トレイに作用し弾力によって前記トレイを押し出す弾性ユニットから構成される差し込み／取り出し機構と、
前記筐体に配置され、前記連結棒に弾性作用し、弾力によって前記連結棒の前記連結部を所定位置まで移動させる側面弾圧ユニットと、
を備え、
前記トレイの前記側辺部は、一端が前記ハート形リード溝に連通し、他端が前記ハート形リード溝から離れる前記側辺部の末端に伸びて外部に連通する開放端に形成される拡張溝を有し、
前記トレイが前記筐体に差し込まれるとき、前記拡張溝の前記開放端は、前記所定位置に対応し、前記連結棒の前記連結部は前記拡張溝に挿入することを特徴とするメモリーカードコネクター。
【請求項２】
前記弾性ユニットは、一端に前記筐体に固定される固定部を有する圧縮スプリングであることを特徴とする請求項１に記載のメモリーカードコネクター。
【請求項３】
前記筐体は、さらに固定ピンと、前記弾性ユニットの前記固定部を固定する対応部とを有し、
前記弾性ユニットは、前記固定部を前記固定ピンに掛けることによって前記筐体に当接することを特徴とする請求項２に記載のメモリーカードコネクター。
【請求項４】
前記連結棒は、前記連結部が前記筐体の前記差し込み口側に位置し、前記接続部が前記筐体の前記差し込み口の反対側に位置することを特徴とする請求項１に記載のメモリーカードコネクター。
【請求項５】
前記ハート形リード溝および前記拡張溝は、前記側辺部の頂面に位置付けられ、
前記拡張溝は、深さが前記ハート形リード溝側から前記開放端まで漸増し、一番浅い位置が前記連結棒の前記連結部の底部より低いことを特徴とする請求項１に記載のメモリーカードコネクター。
【請求項６】
前記筐体は、前記連結棒の前記連結部と前記接続部との間に位置付けられ前記連結棒を一定の高さに維持する支持部を有することを特徴とする請求項５に記載のメモリーカードコネクター。
【請求項７】
前記筐体は、前記連結棒の上方に位置し前記連結棒を押圧して前記連結棒を一定の高さに限定する押圧部を有することを特徴とする請求項１に記載のメモリーカードコネクター。
【請求項８】
前記筐体は、基座および蓋から構成され、
前記端子グループは、前記基座および前記蓋のいずれか一つに配置されることを特徴とする請求項１に記載のメモリーカードコネクター。
【請求項９】
前記端子グループは、二つであり、一つの端子グループが前記基座に配置され、別の一つの端子グループが前記蓋に配置され、
前記トレイの前記カード搭載部は、二つであり、二つのカード搭載部は、上下に重なるように前記トレイに配置され、それぞれ一つのメモリーカードを搭載し、前記トレイが前記筐体に差し込まれるとき、前記二つのカード搭載部は、前記格納空間に位置し、前記二つのメモリーカードをそれぞれ前記端子グループに接続することを特徴とする請求項８に記載のメモリーカードコネクター。
【請求項１０】
前記筐体は、前記格納空間の一側かつ前記筐体の前記対応部と前記支持部との間に位置する固定壁面を有し、
前記側面弾圧ユニットは、弾性片体であり、一端が前記筐体に配置され、他端が前記連結棒に弾性的に当接し、弾力によって前記連結棒を前記固定壁面まで押し、前記連結棒の前記連結部を前記所定位置に固定することを特徴とする請求項１に記載のメモリーカードコネクター。
【考案の詳細な説明】
【技術分野】
【０００１】
本考案は、メモリーカードコネクターに関し、詳しくはトレイを着脱可能なカードコネクターに関するものである。
【背景技術】
【０００２】
米国特許第ＵＳ７，２６７，５６５号明細書（特許文献１）は、メモリーカードを差し込んだり取り出したりすることが可能な構成を開示した。そのうちのハート形リード溝（該案の図に符号３１２で表示された部品）即ち循環式リード溝は、ピン（ｐｉｎ）を内部に作用させることによってカードを差し込んだ時およびカードを取り出した時に停止機能を生成するため、メモリーカードを差し込んだ後、再び押せばメモリーカードを後退させ、使用の便をはかることができる。
【０００３】
米国特許第ＵＳ７，２２９，３００号明細書（台湾実用新案第Ｍ２８９５３８号明細書）（特許文献２）および米国特許第ＵＳ７，３９３，２２１号明細書（台湾実用新案第Ｍ２８９５３９号明細書）（特許文献３）により開示されたトレイ式マルチカードコネクターは、トレイがメモリーカードを搭載してカードコネクターに差し込む。トレイの一側に配置されたハート形リード溝および位置制限レバーによって差し込み／取り出し作動を行うことができる。
【０００４】
上述したトレイ式メモリーカードコネクターは、位置制限レバーと位置制限溝の作動関係が原因でトレイをメモリーカードコネクターから分離させることができず、所定位置までしか引き出せない。そのため、メモリーカードを差し込む際、所定位置までトレイを引き出さないと、メモリーカードをトレイに載せてメモリーカードコネクターに差し込むことができない。トレイが十分に引き出せない場合、メモリーカードが載せにくいという問題が発生する。力を入れ過ぎてトレイを引き出すと、位置制限溝または位置制限レバーを破壊し、差し込み／引き出し機能を正常に果たすことができない可能性がある。
【先行技術文献】
【特許文献】
【０００５】
【特許文献１】米国特許第ＵＳ７，２６７，５６５号明細書
【特許文献２】米国特許第ＵＳ７，２２９，３００号明細書（台湾実用新案第Ｍ２８９５３８号明細書）
【特許文献３】米国特許第ＵＳ７，３９３，２２１号明細書（台湾実用新案第Ｍ２８９５３９号明細書）
【考案の概要】
【考案が解決しようとする課題】
【０００６】
上記問題を解決するため、本考案は、使用上の利便性を向上させ、トレイを着脱可能なメモリーカードコネクターを提供することを目的とする。
【課題を解決するための手段】
【０００７】
上述の目的を達成するために、本考案によるメモリーカードコネクターは、筐体、少なくとも一つの端子グループ、トレイ、差し込み／取り出し機構、および側面弾圧ユニットを備える。筐体は、内部に格納空間と、格納空間に連通する差し込み口とを有する。端子グループは、複数の端子から構成され、かつ格納空間内まで伸びるように筐体に装着される。トレイは、筐体の差し込み口から差し込まれ、少なくとも一つのカード搭載部および一つの側辺部を有し、カード搭載部によって少なくとも一つのメモリーカードを搭載する。トレイが筐体に差し込まれるとき、カード搭載部は、格納空間に位置し、メモリーカードと端子グループとを相互に接続する。
【０００８】
差し込み／取り出し機構は、ハート形リード溝、連結棒、および弾性ユニットから構成され、ハート形リード溝はトレイの側辺部に配置される。連結棒は、一端にスウィング可能に筐体に配置される接続部を有し、他端にハート形リード溝に連結される連結部を有する。連結棒は、筐体の抑制によって一定の高さに限定される。弾性ユニットは、トレイに作用するように筐体内に配置され、弾力によってトレイを押し出す。側面弾圧ユニットは、連結棒に弾性作用するように筐体に配置され、弾力によって連結棒の連結部を所定位置まで移動させる。トレイの側辺部は拡張溝を有し、拡張溝は、一端がハート形リード溝に連通し、他端がハート形リード溝から離れる側辺部の末端に伸びて外部に連通する開放端に形成される。トレイが外部から筐体内に差し込まれるとき、拡張溝の開放端は、所定位置に対応し、連結棒の連結部を受け入れる。従って、本考案によるメモリーカードコネクターは、差し込み／取り出し機能を有する。また、メモリーカードコネクターにトレイの着脱を行うとき、トレイの正常作動を維持し、かつ使用上の利便性を向上させることができる。
【図面の簡単な説明】
【０００９】
【図１】本考案の一実施形態によるメモリーカードコネクターを示す斜視図である。
【図２】本考案の一実施形態によるメモリーカードコネクターを示す分解斜視図である。
【図３】本考案の一実施形態によるメモリーカードコネクターにおけるトレイを示す底面図である。
【図４】本考案の一実施形態によるメモリーカードコネクターにおいて筐体の内部の部品が部分的に分解された状態を示す模式図である。
【図５】本考案の一実施形態によるメモリーカードコネクターにおいてトレイが一定の距離まで後退した状態を示す斜視図である。
【図６】本考案の一実施形態によるメモリーカードコネクターにおいて蓋が除去された状態を示す斜視図である。
【図７】本考案の一実施形態によるメモリーカードコネクターにおいてトレイが部分的に分解された時、側面弾圧ユニットが連結棒に作用する状態を示す斜視図である。
【図８】本考案の一実施形態によるメモリーカードコネクターにおいてトレイが一定の距離まで後退した状態を示す平面図である。
【図９】図８中の９−９線に沿った断面図である。
【図１０】図８中の１０−１０線に沿った断面図である。
【図１１】本考案の一実施形態によるメモリーカードコネクターにおいてトレイが筐体に差し込まれる前の状態を示す模式図である。
【図１２】図１１中の１２−１２線に沿った断面図である。
【図１３】本考案の一実施形態によるメモリーカードコネクターにおいて筐体に差し込まれたトレイが連結棒の連結部に接触していない状態を示す模式図である。
【図１４】図１３中の１４−１４線に沿った断面図である。
【考案を実施するための形態】
【００１０】
以下、本考案によるメモリーカードコネクターを図面に基づいて説明する。
（一実施形態）
図１から図１０に示すように、本考案の一実施形態によるメモリーカードコネクター１０は、筐体１１、二つの端子グループ２１、トレイ３１、差し込み／取り出し機構４１、および側面弾圧ユニット５１から構成される。
【００１１】
筐体１１は、基座１２および蓋１６から構成され、かつ基座１２と蓋１６との間に形成された格納空間１８と、格納空間１８に連通するように形成された差し込み口１９とを有する。基座１２は、固定ピン１２１、対応部１２２、支持部１２３、および固定壁面１２４を有する。蓋１６は押圧部１６１を有する。本実施形態において、押圧部１６１は、蓋１６から格納空間１８に突出して形成される。
【００１２】
二つの端子グループ２１は、複数の端子から構成され、かつ格納空間１８内まで伸びるように筐体１１に装着される。本実施形態において、二つの端子グループ２１は、一つの端子グループ２１が基座１２に配置され、別の一つの端子グループ２１が蓋１６に配置される。
【００１３】
トレイ３１は、筐体１１の差し込み口１９から差し込まれ、カード搭載部３２、カード搭載部３３、および一つの側辺部３４を有する。カード搭載部３２とカード搭載部３３とは、上下に重なるようにトレイ３１に配置され、それぞれ一つのメモリーカード（図中未表示）の搭載に用いられる。トレイ３１が筐体１１に差し込まれるとき、カード搭載部３２とカード搭載部３３とは、格納空間１９に位置し、二つのメモリーカードと二つの端子グループ２１とを相互に接続する。
【００１４】
差し込み／取り出し機構４１は、ハート形リード溝４２、連結棒４４、および弾性ユニット４６から構成される。ハート形リード溝４２は、トレイ３１の側辺部３４に配置される。連結棒４４は、一端にスウィング可能に基座１２に配置される接続部４４１を有し、他端にハート形リード溝４２に連結される連結部４４２を有する。連結部４４２は筐体１１の差し込み口１９側に位置し、接続部４４１は筐体１１の差し込み口１９の反対側に位置する。基座１２の支持部１２３は、連結部４４２と接続部４４１との間に位置付けられ、連結棒４４を一定の高さに維持する。押圧部１６１は、連結棒４４を押圧して連結棒４４を一定の高さに限定するため連結棒４４の上方に位置付けられる。弾性ユニット４６は、トレイ３１に作用するように基座１２に配置され、弾力によってトレイ３１を押し出す。本実施形態において、弾性ユニット４６は、圧縮スプリングであり、かつ一端に基座１２の対応部１２２に固定される固定部４６１を有する。弾性ユニット４６は、固定部４６１の一端を固定ピン１２１に掛けることによって基座１２に当接する。
【００１５】
トレイ３１は、側辺部３４に拡張溝３５を有する。拡張溝３５は、一端がハート形リード溝４２に連通し、他端がハート形リード溝４２から離れる側辺部３４の末端に伸びて外部に連通する開放端３５１に形成される。本実施形態において、ハート形リード溝４２と拡張溝３５とは、側辺部３４の頂面に位置付けられる。拡張溝３５は、深さがハート形リード溝４２側から開放端３５１まで漸増し、一番浅い位置が連結棒４４の連結部４４２の底部より低い。トレイ３１が外部から筐体１１内に差し込まれるとき、拡張溝３５の開放端３５１は、所定位置に対応し、連結棒４４の連結部４４２を受け入れる。
【００１６】
側面弾圧ユニット５１は、連結棒４４に弾性作用するように筐体１１に配置され、弾力によって連結棒４４の連結部４４２を所定位置まで移動させる。本実施形態において、固定壁面１２４は、格納空間１８の一側かつ筐体１１の対応部１２２と支持部１２３との間に位置する。側面弾圧ユニット５１は、弾性のある片体であり、一端が蓋１６に配置され、他端が連結棒４４に弾性的に当接し、かつ弾力によって連結棒４４を固定壁面１２４まで押して安定させる。このとき連結棒４４の連結部４４２は、所定位置に固定される。
【００１７】
本実施形態において、筐体１１は、基座１２および蓋１６から構成されることが一つの例である。基座１２または蓋１６に配置される部品は説明のために挙げられた例に過ぎない。上述した部品は本実施形態の配置方式に限定されず、実際に製造するときに必要に応じ、蓋１６または基座１２に配置されてもよい。
【００１８】
図４に示したのは、差し込まれたトレイ３３が差し込み／取り出し機構４１の連結棒４４によって挿入位置にロックされる状態である。図５に示したのは、再び押されたトレイ３１が差し込み／取り出し機構４１の連結棒４４の作用によって抜き出される状態である。差し込み／取り出し機構４１の作用は従来の技術であるため、作動についての詳細な説明を省略する。
【００１９】
以上は、本実施形態の構成についての説明である。続いて本実施形態の操作状態について説明を進める。
トレイ３１と差し込み／取り出し機構４１との関係は本実施形態の重点である。トレイ３１とメモリーカードとの関係は本実施形態の重点でないため、図面には、メモリーカードを表示せず、トレイ３１のカード搭載部３２、カード搭載部３３のみを表示する。
【００２０】
図１１および図１２に示すように、トレイ３１が差し込まれる前、連結棒４４は、側面弾圧ユニット５１によって一側に押され、固定壁面１２４に当接する。連結棒４４は、支持部１２３および押圧部１６１によって制限される。このとき連結棒４４は、前述した所定位置に固定される。
【００２１】
図１３および図１４に示すように、トレイ３１を差し込むとき、拡張溝３５の開放端３５１は、所定位置に対応し、連結棒４４の連結部４４２を受け入れることができる。拡張溝３５は、高さが前から後に漸減し、かつ最低位置が連結部４４２より低い。そのため、連結部４４２は拡張溝３５にスムーズに入り込むことができる。トレイ３１が一番奥まで入り込むとき、連結部４４２は、ハート形リード溝４２に当接して作用する。
【００２２】
差し込む力（例えばユーザーの指の力）が解除された時、図４に示すように、トレイ３１は、スプリング４６の作用によって外部に移動する。連結棒４４は、ハート形リード溝４２を作用させ、トレイ３１を入り込んだ位置にロックする。このとき差し込み／取り出し機構４１のハート形リード溝４２、連結棒４４、および弾性ユニット４６は、トレイ３１に作用する。そのため、ユーザーがトレイ３１を押せば、差し込み／取り出し動作を行うことができる。差し込み／取り出し動作を進めるとき、連結棒４４は、側面弾圧ユニット５１の弾性作用が原因で固定して制限されていないため、ハート形リード溝４２を作用させたうえで側面弾圧ユニット５１の弾力作用に反発し、スウィング作動を正常に維持することができる。一方、カード搭載部３２とカード搭載部３３とに、二つのメモリーカードが搭載してあるトレイ３１を一番奥まで差し込めば、二つのメモリーカードを二つの端子グループに接続して使用することができる。
【００２３】
メモリーカードを取り出すとき、トレイ３１を押せば、図５に示すように、差し込み／取り出し機構４１を作動させることによってトレイ３１を外部の一定の距離まで後退させることができる。トレイ３１が外部に後退した一定の距離、即ち連結棒４４の連結部４４２とハート形リード溝４２上の二つの停止点との間の距離は、ハート形リード溝４２にかかわる従来の技術であるため、詳細な説明を省略する。このとき筐体１１からトレイ３１を抜き出すことができる。トレイ３１を抜き出すとき、連結棒４４の連結棒４４２は、拡張溝３５から離脱し、トレイ３１と分離する。そのため、トレイ３１は筐体１１からスムーズに抜き出される。連結棒４４の連結部４４２は、側面弾圧ユニット５１の作用によって前述した所定位置に戻る。このとき図１１または図１２に示すように、トレイ３１が筐体１１に差し込まれる前の状態は復元される。一方、弾性ユニット４６の固定部４６１が筐体１１の対応部１２２に固定されるため、トレイ３１が筐体１１から抜き出されても弾性ユニット４６が筐体から逸脱して外部に落ちることは発生しない。
【００２４】
上述した通り、本実施形態によるメモリーカードコネクターは、差し込み／取り出し機能を有する。また、メモリーカードコネクターにトレイ３１の着脱を行うとき、トレイ３１の正常作動を維持し、かつ使用上の利便性を向上させることができる。
【００２５】
本実施形態において、弾性ユニット４６の固定部４６１は、必ずしも必要な部品ではない。本考案においては、固定部４６１を配置することに限らず、筐体１１の内部空間によって弾性ユニット４６を制限するか、弾性ユニット４６と固定ピン１２１との間を密接に配置することによって弾性ユニット４６を逸脱させないことができる。
【００２６】
一方、固定ピン１２１は、必ずしも必要な部品ではない。弾性ユニット４６は、筐体１１の内部空間の制限によって固定されることができる。そのため、本考案は、固定ピン１２１を配置することが必要であるとは限らない。
【００２７】
ハート形リード溝４２と拡張溝３５との配置位置は、必ずしも側辺部３４の頂面ではない。ハート形リード溝４２をトレイの側面に配置する手段を開示した前述の先行技術に対し、本考案におけるハート形リード溝４２と拡張溝３５とは、どちらの面に配置されてもよい。差し込み／取り出し作動を行うことさえできればよい。
【００２８】
一方、支持部１２３は、必ずしも必要な部品ではない。支持部１２３が配置されなくても、連結棒４４は、側面弾圧ユニット５１の弾力およびハート形リード溝４２との連結によってスウィング動作を正常に行うことができる。
【００２９】
一方、端子グループ２１およびトレイ３１のカード搭載部３２とカード搭載部３３とは、二つに設定されることが一つの例である。本考案においては、一つの端子グループ２１と一つのカード搭載部３２またはカード搭載部３３との組み合わせに適用することができる。このとき、トレイ３１は一枚のメモリーカードのみを搭載する。端子グループ２１は、基座１２または蓋１６に配置される。本考案の内容によって理解したうえで選択することができるため、一つの端子グループ２１とカード搭載部３２またはカード搭載部３３とを組み合わせた状態を図示しない。つまり、本考案は、端子グループ２１、カード搭載部３２、およびカード搭載部３３の数に限定されない。
【符号の説明】
【００３０】
１０  ：メモリーカードコネクター、
１１  ：筐体、
１２  ：基座、
１２１：固定ピン、
１２２：対応部、
１２３：支持部、
１２４：固定壁面、
１６  ：蓋、
１６１：押圧部、
１８  ：格納空間、
１９  ：差し込み口、
２１  ：端子グループ、
３１  ：トレイ、
３２  ：カード搭載部、
３３  ：カード搭載部、
３４  ：側辺部、
３５  ：拡張溝、
３５１：開放端、
４１  ：差し込み／取り出し機構、
４２  ：ハート形リード溝、
４４  ：連結棒、
４４１：接続部、
４４２：連結部、
４６  ：弾性ユニット、
４６１：固定部、
５１  ：側面弾圧ユニット。
【図１】
0003170288.tif 000003
【図２】
0003170288.tif 000004
【図３】
0003170288.tif 000005
【図４】
0003170288.tif 000006
【図５】
0003170288.tif 000007
【図６】
0003170288.tif 000008
【図７】
0003170288.tif 000009
【図８】
0003170288.tif 000010
【図９】
0003170288.tif 000011
【図１０】
0003170288.tif 000012
【図１１】
0003170288.tif 000013
【図１２】
0003170288.tif 000014
【図１３】
0003170288.tif 000015
【図１４】
0003170288.tif 000016